(57)【要約】      （修正有）【課題】保温剤若しくは保冷剤を装着する首周りが嵩張るためタオル織機で袋織り部を形成し、切れ目を入れて保温剤若しくは保冷剤を装着してもファッション性を有するタオルマフラーを提供する。【解決手段】地経糸ａ１と地経糸ａ’２、緯糸ｃ３で袋織部Ａ７が形成され、この袋織部Ａ７に対面して、パイル経糸ｂ４とパイル経糸ｂ’５、緯糸ｃ３で袋織部Ｂ７’が形成され、袋織部Ａ７と袋織部Ｂ７’により前記の袋織り組織を形成し、この織り方によりタオルマフラー本体の首周りの生地に袋状部を形成して、その袋織部Ａ７に形成した切れ目を縫製してほつれないようにし、切れ目より保温剤若しくは保冷剤を装着できるようにした。【選択図】図１
0003142954.tif 000002
【実用新案登録請求の範囲】
【請求項１】
地経糸ａと地経糸ａ’、緯糸ｃで袋織部Ａが形成され、この袋織部Ａに対面してパイル経糸ｂとパイル経糸ｂ’、緯糸ｃで袋織部Ｂが形成されるように製織した袋織部Ａと袋織部Ｂにより袋織り組織を形成し、この織り方によりタオルマフラー本体の首筋に接して生地に袋状部を形成することを特徴とする防寒用、防暑用タオルマフラー。
【請求項２】
請求項1に記載の織り方によりタオルマフラー本体の首筋に接して生地に形成した袋織部の一方に切れ目を入れてその周囲を縫製して袋状部に保温剤若しくは保冷剤を装着できるようにしたことを特徴とする防寒用、防暑用タオルマフラー。
【考案の詳細な説明】
【技術分野】
【０００１】
本考案は、冬は保温剤、夏は保冷剤の装着が容易な嵩張らないタオルマフラーに関するものである。
【背景技術】
【０００２】
保温剤若しくは保冷剤の装着が容易な衣類の中で、首筋にポケットを付けたタオルマフラーは、縫製されたポケットの形状やタオルマフラーのポケットの位置を問わず、必要な防寒用若しくは防暑用の保温剤若しくは保冷剤をポケットに装着できる利点があるので、防寒用若しくは防暑用のタオルマフラーとして実用に共されている。
実用のポケット付のタオルマフラーは、携帯用の保温剤又は保冷剤をポケットに装着して携帯するものである。それを装着することができるポケット付のタオルマフラーは、タオルマフラー生地とは別の生地を縫い付けてポケットを作るか、別の生地を二つ折りにしてホックかファスナーで止めて袋状ポケットにする製品がある。
【０００３】
しかし、携帯用に作られた保温剤や保冷剤は、手の中に入る程度の大きさと厚みを有している点を考慮してみても、従来の技術によると、ポケットに装着して使用する保温剤、保冷剤の装着部分が嵩張るという欠点があった。
【０００４】
タオルマフラーを身に付けてファッションとして使用しようとする場合、その用途において、この欠点は大きな障害である。具体的には、首筋に巻くタオルマフラーはファッション性に劣るという問題があった。
【０００５】
従来のタオルマフラーに保温剤若しくは保冷剤を装着できるものである。
【特許文献１】実用新案登録第３００９４６９号公報
【特許文献２】実用新案登録第３０８３７２１号公報
【特許文献３】実用新案登録第３１１７４３９号公報
【特許文献４】実用新案登録第３１２８３８２号公報
【特許文献５】実用新案登録第３０９２０９０号公報
【特許文献２】特開２０００−２３７０８９号公報
【考案の開示】
【考案が解決しようとする課題】
【０００６】
解決しようとする問題点は、保温剤若しくは保冷剤の装着部分が嵩張るためファッション性において障害となる点である。
【課題を解決するための手段】
【０００７】
本考案は、タオルマフラーをタオル織機を使用して製織するに当り、タオルマフラー本体の中心部分で人の首筋に接するところを袋織り組織として、保温剤若しくは保冷剤を装着可能とする切れ目を有する袋織部とこれに対面する袋織部により袋状部を形成することを最も主要な特徴とする。
地経糸ａと地経糸ａ’、緯糸ｃで袋織部Ａが形成され、この袋織部Ａに対面して、パイル経糸ｂとパイル経糸ｂ’、緯糸ｃで袋織部Ｂが形成されるようにした。袋織部Ａと袋織部Ｂにより前記の袋織り組織を形成し、この織り方によりタオルマフラーの生地に袋状部を形成する。
そして、タオルマフラーの本体の一方の袋織部Ａには切れ目を形成
し、その袋織部Ａに形成した切れ目を縫製してほつれないようにし、切
れ目より保温剤若しくは保冷剤を装着できるようにした。
【考案の効果】
【０００８】
本考案のタオルマフラーは、首筋に袋状部を形成するために地経糸と緯糸で袋織部Ａを製織して、パイル経糸と緯糸で袋織部Ｂを製織することにより袋状部を形成するため、本体とは別の布地を用意する必要がなく、直接に本体に袋状部を形成するための別の布地を縫い付けたり、布地を二つ折りにしてホックやファスナーなどを用いて取り付ける縫製をする必要もなく、前記製織の工程中で本体の首筋に形成した袋状部に、保温剤若しくは保冷剤をタオルマフラーのファッション性を損なわずに装着できるという利点がある。
【考案を実施するための最良の形態】
【０００９】
タオルマフラー本体に袋織部Ａと袋織部Ｂを製織して、保温剤若しくは保冷剤を装着する袋状部を本体の一部に袋状部が嵩張らないように形成する目的を、タオルマフラー本体とは別の生地、ファスナーやホックを用いないで最小の部品点数で、タオルマフラーの首筋にファッション性を損なわずに実現した。
【実施例１】
【００１０】
図１は、本考案タオルマフラーの１実施例の組織図であって、図２は斜視図である。符号について、１，２は地経糸、３は緯糸、４，５はパイル経糸、６，８はパイル織部、７，７’は袋織部Ａ，Ｂ、９は切れ目、１０は袋状部、１１はタオルマフラー本体である。
【００１１】
図面に基づいて説明すれば、地経糸ａ１と地経糸ａ’２、緯糸ｃ３で袋織部Ａ７が形成され、この袋織部Ａ７に対面して、パイル経糸ｂ４とパイル経糸ｂ’５、緯糸ｃ３で袋織部Ｂ７’が形成されるようにした。袋織部Ａ７と袋織部Ｂ７’により前記の袋織り組織を形成し、この織り方によりタオルマフラー本体１１の首筋の生地に袋状部１０を形成する。
【００１２】
そして、タオルマフラーの本体の一方の袋織部Ａ７には切れ目９を形成し、その袋織部Ａ７に形成した切れ目９を縫製してほつれないようにし、切れ目９より袋状部１０の中に保温剤若しくは保冷剤を装着できるようにした。
【００１３】
タオルマフラーを製作するに当りこのような製織方法を採用したので、首筋に接する部分においてファッション性のある嵩張らないタオルマフラーを提供できる効果がある。
【産業上の利用可能性】
【００１４】
タオルマフラー本体に袋織部Ａ，Ｂを製織して形成した袋状部に保温剤若しくは保冷剤を装着することによって嵩張らず、首筋に接してタオルマフラーにより防寒用及び防暑用にも適用できてファッション性のあるタオルマフラーを提供することができる。
【図面の簡単な説明】
【００１５】
【図１】防寒用、防暑用タオルマフラーの実施方法を示した説明図である。（実施例１）
【図２】防寒用、防暑用タオルマフラーの実施方法を示した斜視図である。（実施例１）
【符号の説明】
【００１６】
１    地経糸ａ
２    地経糸ａ’
３    緯糸ｃ
４    パイル経糸ｂ
５    パイル経糸ｂ’
６    パイル織部
７，７’    袋織部Ａ，Ｂ
８    パイル織部
９    切れ目
１０    袋状部
１１    タオルマフラー本体
【図１】
0003142954.tif 000003
【図２】
0003142954.tif 000004